(57)【要約】  【課題】操作が簡単で、かつ、一度の測定で３色以上の蛍光色素を励起、検出可能なレーザ走査型蛍光顕微鏡を提供する。  【解決手段】レーザ光源部１と、レーザ光源部１からの光が照射された標本８で発する蛍光を検出する検出部を有する蛍光顕微鏡である。レーザ光源部１が、標本８で２光子励起による蛍光を発させる一つの超短パルスレーザで構成されている。前記検出部は、標本８で２光子励起により発した蛍光のうち少なくとも３つの波長の異なる各蛍光を検出するように、該各蛍光に対応する複数の検出器７1〜７nを有して構成されている。【選択図】  図１
2005069827.tif 000002
【特許請求の範囲】
【請求項１】
レーザ光源部と、前記レーザ光源部からの光が照射された標本で発する蛍光を検出する検出部を有する蛍光顕微鏡において、
前記レーザ光源部が、前記標本で２光子励起による蛍光を発生させる一つの超短パルスレーザで構成され、
前記検出部が、前記標本で２光子励起により発した蛍光のうち少なくとも３つの波長の異なる各蛍光を検出するように、該各蛍光に対応する複数の検出器を有して構成されていることを特徴とするレーザ走査型蛍光顕微鏡。
【請求項２】
レーザ光源部と、前記レーザ光源部からの光が照射された標本で発する蛍光を検出する検出部を有する蛍光顕微鏡において、
前記レーザ光源部が、前記標本で２光子励起による蛍光を発生させる一つの超短パルスレーザで構成され、
前記検出部が、前記標本で２光子励起により発した蛍光のうち少なくとも３つの波長の異なる各蛍光を夫々時間差をつけて一つの検出器で検出するように構成されていることを特徴とするレーザ走査型蛍光顕微鏡。
【請求項３】
レーザ光源部と、前記レーザ光源部からの光が照射された標本から発する蛍光を検出する検出部を有する蛍光顕微鏡において、
前記レーザ光源部が、前記標本で２光子励起による蛍光を発生させる一つの超短パルスレーザで構成され、
前記検出部が、前記標本で２光子励起により発した蛍光のうち少なくとも３つの波長の異なる各蛍光を波長毎に分離させる手段と、１次元センサを有して構成されていることを特徴とするレーザ走査型蛍光顕微鏡。
【請求項４】
前記波長毎に分離させる手段が、プリズムで構成されていることを特徴とする請求項３に記載のレーザ走査型蛍光顕微鏡。
【請求項５】
前記波長毎に分離させる手段が、回折格子で構成されていることを特徴とする請求項３に記載のレーザ走査型蛍光顕微鏡。
【請求項６】
前記１次元センサが、スリットと、光電子増倍管（ＰＭＴ）とで構成され、
前記波長毎に分離させる手段が、該波長毎に分離させる手段で分離された各蛍光が順次前記スリットを通過し、前記光電子増倍管で受光されるように、蛍光の位置を調整する手段を有して構成されていることを特徴とする請求項３に記載のレーザ走査型蛍光顕微鏡。
【請求項７】
前記１次元センサが、ラインセンサを用いて、スペクトル情報（蛍光波長情報）のみを検出するように構成されていることを特徴とする請求項３に記載のレーザ走査型蛍光顕微鏡。
【請求項８】
前記１次元センサが、１次元ＣＣＤ又は１次元アバランシェフォトダイオード（ＡＰＤ）で構成されていることを特徴とする請求項３に記載のレーザ走査型蛍光顕微鏡。
【請求項９】
染色体（ＤＮＡ）の解析に必須の、３色以上の蛍光を検出するＭｕｌｔｉ  Ｃｏｌｏｕｒ  ＦＩＳＨ（Fluorescence in situ Hybrization）に適用可能に構成されていることを特徴とする請求項１〜８のいずれかに記載のレーザ走査型蛍光顕微鏡。
【発明の詳細な説明】
【技術分野】
【０００１】
本発明は、３色以上の蛍光検出に用いるレーザ走査型蛍光顕微鏡に関する。
【背景技術】
【０００２】
従来、所定の遺伝子やＤＮＡの染色体上での検出方法として、ＦＩＳＨ（fluorescence in situ hybridization）が知られている。この方法は、所定の蛍光体でマーキングした遺伝子やＤＮＡプローブを水銀ランプ等で励起し、発した蛍光を検出器で検出する方法である。
近年、蛍光分光画像解析は、最新の遺伝子工学等に欠かせない技術となっている。そして、ＦＩＳＨを応用した検出方法として、少なくとも３色以上の蛍光体を用いて、例えば多重遺伝子の検出を可能とする所謂Ｍｕｌｔｉ  Ｃｏｌｏｕｒ  ＦＩＳＨが知られている。
【０００３】
Ｍｕｌｔｉ  Ｃｏｌｏｕｒ  ＦＩＳＨを用いた顕微鏡としては、例えば、次の非特許文献１に開示のものが提案されている。
【非特許文献１】「M-FISHシステム  取扱説明書」，オリンパス光学工業株式会社，１９９８年１２月，M002，ｐ１，３，６
【発明の開示】
【発明が解決しようとする課題】
【０００４】
従来、ＦＩＳＨは、１光子励起に基づいて行なわれていた。このため、Ｍｕｌｔｉ  Ｃｏｌｏｕｒ  ＦＩＳＨを行なうためには、励起波長が複数必要であり、また各蛍光のみを検出するためのフィルタ（バリアフィルタ）等も、その分だけ必要であった。
そして、非特許文献１に記載の顕微鏡では、Ｍｕｌｔｉ  Ｃｏｌｏｕｒ  ＦＩＳＨを行なうために、水銀ランプを光源とする通常の蛍光顕微鏡を用いるとともに、透過波長の異なる励起フィルタとバリアフィルタを多数用意し、これらのうち所望の励起フィルタとバリアフィルタを顕微鏡内においてカセットやターレットを介して順次切り替えることにより、切り替える都度、所望の励起波長で標本を励起するとともに、その励起波長で励起された蛍光を検出していた。
【０００５】
このため、従来の蛍光顕微鏡では、Ｍｕｌｔｉ  Ｃｏｌｏｕｒ  ＦＩＳＨを行なうための複数波長の蛍光検出を一度の測定で行なうことができず、しかも複数波長の蛍光励起のための操作がその分、煩雑化していた。
【０００６】
また、Ｍｕｌｔｉ  Ｃｏｌｏｕｒ  ＦＩＳＨをレーザ走査型蛍光顕微鏡の１光子（１光子）で行なうためには、励起波長の種類分のレーザ光源が必要となる。しかし、従来型の共焦点レーザ走査型顕微鏡では、一般に、ごく少数種類の励起波長しか利用できない。このため、非特許文献１に記載の従来型の共焦点レーザ走査型顕微鏡では、２色程度のＦＩＳＨであれば、２本のレーザを用いることにより対応可能であるが、例えば３色〜７色の蛍光検出をする場合には、その蛍光の数に応じた多数のレーザを用いなければならず、到底対応できなかった。
【０００７】
本発明は、上記従来の問題点に鑑みてなされたものであり、操作が簡単で、かつ、一度の測定で３色以上の蛍光色素を励起、検出可能なレーザ走査型蛍光顕微鏡を提供することを目的とする。
【課題を解決するための手段】
【０００８】
上記目的を達成するため、本第１の発明によるレーザ走査型蛍光顕微鏡は、レーザ光源部と、前記レーザ光源部からの光が照射された標本で発する蛍光を検出する検出部を有する蛍光顕微鏡において、前記レーザ光源部が、前記標本で２光子励起による蛍光を発生させる一つの超短パルスレーザで構成され、前記検出部が、前記標本で２光子励起により発した蛍光のうち少なくとも３つの波長の異なる各蛍光を検出するように、該各蛍光に対応する複数の検出器を有して構成されていることを特徴としている。
【０００９】
また、本第２の発明によるレーザ走査型蛍光顕微鏡は、レーザ光源部と、前記レーザ光源部からの光が照射された標本で発する蛍光を検出する検出部を有する蛍光顕微鏡において、前記レーザ光源部が、前記標本で２光子励起による蛍光を発生させる一つの超短パルスレーザで構成され、前記検出部が、前記標本で２光子励起により発した蛍光のうち少なくとも３つの波長の異なる各蛍光を夫々時間差をつけて一つの検出器で検出するように構成されていることを特徴としている。
【００１０】
また、本第３の発明によるレーザ走査型蛍光顕微鏡は、レーザ光源部と、前記レーザ光源部からの光が照射された標本から発する蛍光を検出する検出部を有する蛍光顕微鏡において、前記レーザ光源部が、前記標本で２光子励起による蛍光を発生させる一つの超短パルスレーザで構成され、前記検出部が、前記標本で２光子励起により発した蛍光のうち少なくとも３つの波長の異なる各蛍光を波長毎に分離させる手段と、１次元センサを有して構成されていることを特徴としている。
【００１１】
また、本発明のレーザ走査型蛍光顕微鏡においては、前記波長毎に分離させる手段が、プリズムで構成されているのがよい。
【００１２】
また、本発明のレーザ走査型蛍光顕微鏡においては、前記波長毎に分離させる手段が、回折格子で構成されていてもよい。
【００１３】
また、本発明のレーザ走査型蛍光顕微鏡においては、前記１次元センサが、スリットと、光電子増倍管（ＰＭＴ）とで構成され、前記波長毎に分離させる手段が、該波長毎に分離させる手段で分離された各蛍光が順次前記スリットを通過し、前記光電子増倍管で受光されるように、蛍光の位置を調整する手段を有して構成されているのが好ましい。
【００１４】
また、本発明のレーザ走査型蛍光顕微鏡においては、前記１次元センサが、ラインセンサを用いて、スペクトル情報（蛍光波長情報）のみを検出するように構成されているのが好ましい。
【００１５】
また、本発明のレーザ走査型蛍光顕微鏡においては、前記１次元センサが、ＣＣＤ又は１次元アバランシェフォトダイオード（ＡＰＤ）で構成されているのが好ましい。
【００１６】
また、本発明のレーザ走査型蛍光顕微鏡においては、染色体（ＤＮＡ）の解析に必須の、３色以上の蛍光を検出するＭｕｌｔｉ  Ｃｏｌｏｕｒ  ＦＩＳＨ（Fluorescence in situ Hybrization）に適用可能に構成されていることを特徴としている。
【発明の効果】
【００１７】
本発明によれば、操作が簡単で、かつ、一度の測定で３色以上の蛍光色素を励起、検出可能なレーザ走査型蛍光顕微鏡が得られる。
【発明を実施するための最良の形態】
【００１８】
実施例に先立ち、本発明の作用効果について説明する。
従来の１光子励起や、３光子励起では、用いる蛍光色素の吸収波長域（３光子では約３倍の波長）に対応した励起光を照射しなければ、蛍光を効率よく発生させることができない。これに対し、２光子励起では、ある波長（例えば８００ｎｍ）を標本に照射すると、様々な蛍光色素を同時に励起させることができる。
本発明は、この点に着目し、レーザ走査型蛍光顕微鏡を、所謂２光子励起により蛍光を発生させるとともに、２光子励起で発生した３種類以上の波長の蛍光をほぼ同時に検出できるように構成したものである。
【００１９】
このように構成すれば、一つのレーザ（波長）を用いて、Ｍｕｌｔｉ  Ｃｏｌｏｕｒ  ＦＩＳＨによる３種類以上の波長の蛍光検出をほぼ同時に行なうことができる。なお、２光子励起により標本で発せられる３種類以上の波長領域の蛍光を検出する手段は、必要に応じて最適な手段を用いることができる。
【００２０】
具体的には、本第１の発明のレーザ走査型蛍光顕微鏡は、光源に一つの超短パルスレーザを用い、標本から２光子励起による蛍光が発せられるようにし、その蛍光中の少なくとも３種類の波長の異なる蛍光を検出するように構成する。このようにすれば、一つのレーザ（特定波長）で、少なくとも３種類以上の蛍光色素をほぼ同時に励起、検出することができる。
【００２１】
また、本第１の発明のレーザ走査型蛍光顕微鏡は、検出器を検出する波長の種類分設ける。このようにすれば、各波長の蛍光を同時に検出することが可能となる。
【００２２】
また、本第２の発明のレーザ走査型蛍光顕微鏡は、各蛍光波長に対して時間差をもって順次検出するように構成する。このようにすれば、複数種類の波長の異なる蛍光を一つの検出器で検出することができる。
【００２３】
また、本第３の発明のレーザ走査型蛍光顕微鏡は、検出部を、標本から発した蛍光を波長毎に分離させる手段を有すると共に、検出器に１次元センサを用いて構成する。このようにすれば、蛍光のスペクトル分析が可能であり、用いる検出器も一つで足りる。
【００２４】
なお、本発明のレーザ走査型蛍光顕微鏡においては、前記波長毎に分離させる手段をプリズムで構成することができる。
【００２５】
また、本発明のレーザ走査型蛍光顕微鏡においては、前記波長毎に分離させる手段を回折格子で構成することもできる。
【００２６】
また、本発明のレーザ走査型蛍光顕微鏡においては、前記１次元センサを、スリットと、光電子増倍管（ＰＭＴ）とで構成するとともに、前記波長毎に分離させる手段を、該波長毎に分離させる手段で分離された各蛍光が順次前記スリットを通過し、前記光電子増倍管で受光されるように、蛍光の位置を調整する手段を有して構成してもよい。このようにすれば、複数種類の波長の異なる蛍光を一つの検出器で検出することができる。
【００２７】
また、前記１次元センサをラインセンサで構成し、スペクトル情報（蛍光波長情報）のみを検出するようにしてもよい。このようにすれば、スペクトル情報（蛍光波長情報）のみを検出し、後で合成することで標本の解析が可能となる。
【００２８】
また、本発明のレーザ走査型蛍光顕微鏡においては、前記１次元センサを、１次元ＣＣＤ又は１次元アバランシェフォトダイオード（ＡＰＤ）で構成しても良い。
【００２９】
また、本発明のレーザ走査型蛍光顕微鏡は、染色体（ＤＮＤ）の解析に必須なアプリケーションである、Ｍｕｌｔｉ  Ｃｏｌｏｕｒ  ＦＩＳＨ（Fluorescence in situ Hybrization）に適用可能に構成する。このようにすれば、従来の顕微鏡に比べて、より簡単な操作でＭｕｌｔｉ  Ｃｏｌｏｕｒ  ＦＩＳＨによる３色以上の蛍光検出を行なうことができる。
【００３０】
以下、本発明の実施例を図面を用いて説明する。
【実施例１】
【００３１】
図１は本発明の第１実施例にかかるレーザ走査型蛍光顕微鏡の概略構成図である。
第１実施例のレーザ走査型蛍光顕微鏡は、２光子励起用レーザ光源部１と、ミラー２と、走査ユニット３と、ダイクロイックミラー４と、対物レンズ５と、ダイクロイックミラー６1〜６n（ｎ：３≦ｎ）と、光電子増倍管（ＰＭＴ）７1〜７n（ｎ：３≦ｎ）を有して構成されている。
【００３２】
２光子励起用レーザ光源部１は、例えば、チタンサファイアレーザで、レーザ光が１００フェムト秒程度の超短パルスで、近赤外の波長を持ち、１００ＭＨｚ程度の繰り返し周波数を持つレーザ装置として構成されている。
【００３３】
走査ユニット３は、所定方向に傾きを変えることにより標本８上を走査可能なミラー３ａを有している。
ダイクロイックミラー６1は、標本８で発生し、ダイクロイックミラー４で反射された蛍光のうち所定波長の蛍光を反射し、その他の波長の蛍光を透過するように構成されている。
ダイクロイックミラー６2は、ダイクロイックミラー６1を透過した蛍光のうち所定波長領の蛍光を反射し、その他の波長の蛍光を透過するように構成されている。
ダイクロイックミラー６nは、ダイクロイックミラー６n-1を透過した蛍光を反射するように構成されている。
【００３４】
このように構成された第１実施例のレーザ走査型蛍光顕微鏡では、２光子励起用レーザ光源部１から近赤外の波長を持ち１００フェムト秒程度の超短パルスのレーザ光が出射される。出射されたレーザ光は、ミラー２、走査ユニット３、ダイクロイックミラー４、対物レンズ５を経て、標本８上に照射される。標本８はレーザ光を２光子励起されることで、３種類以上の複数の波長の蛍光を発する。蛍光は、対物レンズ５を経て、ダイクロイックミラー４で反射される。反射された蛍光は、ダイクロイックミラー６1〜６n、光電子増倍管７1〜７nを介して、夫々所定の波長の蛍光ごとに検出される。
【００３５】
従って、第１実施例のレーザ走査型蛍光顕微鏡によれば、従来の１光子顕微鏡を用いた場合と異なり、２光子励起により、一つのレーザでもって、様々な色の３種類以上の蛍光色素を同時に励起させることができる。また、従来の１光子顕微鏡を用いた場合のような複数波長の光励起操作のために励起フィルタとバリアフィルタを多数用意してこれらのうち所望の励起フィルタとバリアフィルタを切り替えるという必要がなくて済む。
【００３６】
次に、図２に変形例を示す。図２の変形例のレーザ走査型蛍光顕微鏡は、図１の構成のダイクロイックミラー６1〜６3、光電子増倍管７1〜７3に加えて、所定波長の蛍光のみを透過させるバリアフィルタ９ａ1〜９ａ5と光電子増倍管９ｂ1〜９ｂ5とを備えた５つのユニット９1〜９5が設けられている。ユニット９1〜９5のそれぞれのバリアフィルタ９ａ1〜９ａ5は、それぞれ所望波長の蛍光のみ透過する特性を有している。なお、図２中、レンズ５1’〜５5’は、標本８で発生し対物レンズ５以外の方向に向かって発散する蛍光を平行光にしてバリアフィルタ９ａ1〜９ａ5に導くレンズである。
図２の変形例によれば、標本８で発生した蛍光のうち、対物レンズ５以外の方向に向かう５種類の蛍光は、ユニット９1〜９5の光電子増倍管９ｂ1〜９ｂ5で検出され、一方、対物レンズ５を通過した３種類の蛍光は、光電子増倍管７1〜７3で検出される。つまり、この変形例のレーザ走査型蛍光顕微鏡によれば、合計８種類の蛍光を検出することができる。
そして、対物レンズ５以外の方向の蛍光を含めて合計８種類の蛍光を検出するので、対物レンズ５を通過した蛍光のみで８種類の蛍光を検出するように構成した場合に比べて、ダイクロイックミラー４の後方に配置すべき光電子増倍管の数を少なくすることができ、ダイクロイックミラー４以降の装置の長さ（大きさ）を短く（小さく）することができる。
【００３７】
また、図２の変形例をさらに変形して、対物レンズ５を通過した蛍光を検出する光電子増倍管の数と、対物レンズ５以外の方向に向かう蛍光を検出する光電子増倍管の数とを同数配置、例えば、光電子増倍管７1〜７5と光電子増倍管９ｂ1〜９ｂ5というように夫々５個ずつ配置し、光電子増倍管７1と光電子増倍管９ｂ1、光電子増倍管７2と光電子増倍管９ｂ2、…、光電子増倍管７5と光電子増倍管９ｂ5を夫々ペアーとし、ペアー毎に同じ種類の蛍光を検出することができるようにして合計で５種類の蛍光を検出することができるようにし、図示省略した蛍光信号合成手段等を介して同じ種類の蛍光を合成するようにしてもよい。
このように構成した場合は、標本８で発生する蛍光が非常に強度が弱い場合であっても、標本８で発生する対物レンズ５以外の方向に向かう蛍光と対物レンズ５を通過する蛍光とを同じ種類の蛍光として同時に検出することができ、その分、より多くの光量で高精度に検出することができ、明るい蛍光観察が可能になる。
【実施例２】
【００３８】
図３は本発明の第２実施例にかかるレーザ走査型蛍光顕微鏡の概略構成図である。
第２実施例のレーザ走査型蛍光顕微鏡は、２光子励起用レーザ光源部１と、ダイクロイックミラー２’と、走査ユニット３と、瞳リレーレンズ１０と、結像レンズ１１と、対物レンズ５と、単レンズ１２と、分散素子１３と、集光レンズ１４と、ラインセンサ１５を有して構成されている。
【００３９】
ダイクロイックミラー２’は、２光子励起用レーザ光源部１からのレーザ光を反射し、標本８で発生した蛍光を透過するように構成されている。
単レンズ１２は、ダイクロイックミラー２’を透過した光束を平行光にするように構成されている。
分散素子１３は、プリズムで構成され、入射した蛍光を夫々の波長ごとに分光して出射するようになっている。
集光レンズ１４は、分散素子１３で分光された各波長域の蛍光を集光して、ラインセンサ１５の各波長域の蛍光に対応して設けられた所定の受光素子１５ａに導くようになっている。
ラインセンサ１５は、分散素子１３で分散される各波長域の蛍光が検出されるように、複数の受光素子１５ａを線状に配列して構成されている。
【００４０】
このように構成された第２実施例のレーザ走査型蛍光顕微鏡では、２光子励起用レーザ光源部１から近赤外の波長を持ち１００フェムト秒程度の超短パルスのレーザ光が照射される。出射されたレーザ光は、ダイクロイックミラー２’と、走査ユニット３と、瞳リレーレンズ１０と、結像レンズ１１と、対物レンズ５を経て、標本８上に照射される。標本８はレーザ光を２光子励起されることで、３種類以上の複数の波長の蛍光を発する。蛍光は、対物レンズ７、結像レンズ１１、瞳リレーレンズ１０、操作ユニット３を経て、ダイクロイックミラー２’を透過する。ダイクロイックミラー２’を透過した蛍光は、単レンズ１２で平行光となり、分散素子１３で夫々の波長に平行光のまま分光され、集光レンズ１４を介して夫々集光され、ラインセンサ１５上の所定の受光素子１５ａで夫々受光される。
【００４１】
従って、第２実施例のレーザ走査型蛍光顕微鏡によれば、図１の実施例と同様に、２光子励起により、一つのレーザでもって、様々な色の３種類以上の蛍光色素を同時に励起させることができる。また、従来の１光子顕微鏡を用いた場合と異なり、複数波長の光励起操作のために励起フィルタとバリアフィルタを多数用意してこれらのうち所望の励起フィルタとバリアフィルタを切り替える必要がなくて済み、操作がその分、簡単になる。さらに、第１実施例のように複数の検出器を必要とせず、一つの検出器で蛍光のスペクトル分析が可能となる。
【実施例３】
【００４２】
図４は本発明の第３実施例にかかるレーザ走査型蛍光顕微鏡の概略構成図である。
第３実施例のレーザ走査型蛍光顕微鏡は、２光子励起用レーザ光源部１と、ダイクロイックミラー２’と、走査ユニット３と、瞳リレーレンズ１０と、結像レンズ１１と、対物レンズ５と、単レンズ１２と、回折格子１６と、集光レンズ１４と、スリット１７と、光量検出器１８を有して構成されている。
【００４３】
回折格子１６は、異なる波長の蛍光に分光反射するように構成されている。また、回折格子１６には図示省略した回動手段が設けられており、矢印方向へ回動可能になっている。
スリット１７は、回折格子１６で分光され、集光レンズ１４で集光される蛍光のうち所定波長域の蛍光のみを通過させるように形成されている。なお、スリット１７は幅を変えることによって波長域の範囲を選択できるようになっている。
光量検出器１８は、例えば電子増倍管（ＰＭＴ）で構成されており、スリット１７を通過した光を受光するように配置されている。
【００４４】
このように構成された第３実施例のレーザ走査型蛍光顕微鏡では、２光子励起用光源部から近赤外の波長を持ち１００フェムト秒程度の超短パルスのレーザ光が照射される。レーザ光は、ダイクロイックミラー２’と、走査ユニット３と、瞳リレーレンズ１０と、結像レンズ１１と、対物レンズ５を経て、標本８上に照射される。標本８はレーザ光を２光子励起されることで、３種類以上の複数の波長の蛍光を発する。蛍光は、対物レンズ７、結像レンズ１１、瞳リレーレンズ１０、操作ユニット３を経て、ダイクロイックミラー２’を透過する。ダイクロイックミラー２’を透過した蛍光は、単レンズ１２で平行光となり、回折格子１６で夫々の波長に平行光のまま分光されて反射され、集光レンズ１４を介して夫々集光される。集光された蛍光は線状に分布している。ここで、不要の波長はスリット１７で遮断される。スリット１７を通過した所定波長の蛍光が光量検出器１８で受光される。
また、回折格子１６を回転させることでスリット１６を通過する波長を選択できる。従って、回折格子１６を所定方向に回転させながら光量検出器１８で受光する。
【００４５】
従って、第３実施例のレーザ走査型蛍光顕微鏡によれば、図１の実施例と同様に、２光子励起により、一つのレーザでもって、様々な色の３種類以上の蛍光色素を同時に励起させることができる。また、第２実施例と同様に、従来の１光子顕微鏡を用いた場合と異なり、複数波長の光励起操作のために励起フィルタとバリアフィルタを多数用意してこれらのうち所望の励起フィルタとバリアフィルタを切り替える必要がなくて済み、操作がその分、簡単になる。さらに、第１実施例のように複数の検出器を必要とせず、一つの検出器で蛍光のスペクトル分析が可能となる。
【図面の簡単な説明】
【００４６】
【図１】本発明の第１実施例にかかるレーザ走査型蛍光顕微鏡の概略構成図である。
【図２】本発明の第１実施例にかかるレーザ走査型蛍光顕微鏡の変形例を示す概略構成図である。
【図３】本発明の第２実施例にかかるレーザ走査型蛍光顕微鏡の概略構成図である。
【図４】本発明の第３実施例にかかるレーザ走査型蛍光顕微鏡の概略構成図である。
【符号の説明】
【００４７】
１          ２光子励起用レーザ光源
２，３ａ    ミラー
２’，４，６1，６2，６n        ダイクロイックミラー
３          走査手段
５          対物レレンズ
５1’，５2’，５3’，５4’，５5’          レンズ
７1，７2，７3，７n，９ｂ1，９ｂ2，９ｂ3，９ｂ4，９ｂ5，１８
光電子増倍管
８          標本
９1，９2，９3，９4，９5                    ユニット
９ａ1，９ａ2，９ａ3，９ａ4，９ａ5          バリアフィルタ
１０        瞳リレーレンズ
１１        結像レンズ
１２        単レンズ
１３        分散素子
１４        集光レンズ
１５        ラインセンサ
１５ａ      受光素子
１６        回折格子
１７        スリット
【図１】
2005069827.tif 000003
【図２】
2005069827.tif 000004
【図３】
2005069827.tif 000005
【図４】
2005069827.tif 000006